(57)【特許請求の範囲】
【請求項１】
信号光を光電流に変換する、光電変換素子を含む受信パワー測定光学系と、
上記光電流の大きさを上記信号光のパワーに換算することにより得たモニタ値を、上記信号光の波長に依存した誤差を補償するように補正する制御部と、を備え、
上記制御部は、ローカル光の波長を表す波長情報に基づいて上記補正に用いる補正係数を特定する、
ことを特徴とするコヒーレント光受信器。
【請求項２】
上記制御部は、波長と補正係数とが対応付けられた補正係数情報を参照し、当該補正係数情報において、上記ローカル光の波長に対応する補正係数を上記補正に用いる補正係数として特定する、
ことを特徴とする請求項１に記載のコヒーレント光受信器。
【請求項３】
上記光電変換素子又は上記光電変換素子の周囲の温度を検出する温度センサをさらに備え、
上記制御部は、温度及び波長と補正係数とが対応付けられた補正係数情報を参照し、当該補正係数情報において、検出した温度、及び、上記ローカル光の波長に対応する補正係数を上記補正に用いる補正係数として特定する、
ことを特徴とする請求項２に記載のコヒーレント光受信器。
【請求項４】
上記受信パワー測定光学系は、上記信号光を所定の比率で分岐することにより得られた上記信号光の一部を上記光電変換素子に供給する光分岐部をさらに含み、
上記補正に用いる補正係数は、上記光電流の大きさを上記光分岐部に入力された上記信号光のパワーに換算する際の上記誤差を補償するように定められている、
ことを特徴とする請求項１〜３のいずれか１項に記載のコヒーレント光受信器。
【請求項５】
上記ローカル光の波長に対応する補正係数が上記補正係数情報に含まれていない場合、上記制御部は、上記補正係数情報に含まれている補正係数から、上記ローカル光の波長に対応する補正係数を内挿演算又は外挿演算によって算出し、算出した補正係数を上記補正に用いる補正係数として特定する、
ことを特徴とする請求項２又は３に記載のコヒーレント光受信器。
【請求項６】
上記制御部は、補正後の上記モニタ値が予め定められた閾値より小さいときに、上記ローカル光を生成するローカル光源の出力をオフにする、
ことを特徴とする請求項１〜５のいずれか１項に記載のコヒーレント光受信器。
【請求項７】
請求項１〜６までの何れか１項に記載のコヒーレント光受信器の製造方法であって、
既知のパワーを有する信号光を上記受信パワー測定光学系に入力したときに上記コヒーレント光受信器が得るモニタ値から、該モニタ値を上記既知のパワーに補正するための補正係数を求める第１工程と、
上記第１工程にて求めた補正係数から、上記制御部が上記補正に用いる補正係数を特定するために参照する補正係数情報を生成する第２工程と、を含んでいる、
ことを特徴とするコヒーレント光受信器の製造方法。
【請求項８】
上記第１工程は、上記モニタ値を上記既知のパワーに補正するための補正係数を、信号光の波長ごとに求める工程であり、
上記第２工程にて生成される補正係数情報では、上記信号光の波長と、上記第１工程にて求めた上記補正係数とが対応付けられている、
ことを特徴とする請求項７に記載のコヒーレント光受信器の製造方法。
【請求項９】
請求項３に記載のコヒーレント光受信器の製造方法であって、
既知のパワーを有する信号光を上記受信パワー測定光学系に入力したときに上記コヒーレント光受信器が得るモニタ値から、該モニタ値を上記既知のパワーに補正するための補正係数を求める第１工程と、
上記第１工程にて求めた補正係数から、上記制御部が上記補正に用いる補正係数を特定するために参照する補正係数情報を生成する第２工程と、を含み、
上記第１工程は、上記モニタ値を上記既知のパワーに補正するための補正係数を、上記光電変換素子又は上記光電変換素子の周囲の温度を変えながら信号光の波長ごとに求める工程であり、
上記第２工程にて生成される補正係数情報では、温度及び上記信号光の波長と、上記第１工程にて求めた上記補正係数とが対応付けられている、
ことを特徴とするコヒーレント光受信器の製造方法。
【発明の詳細な説明】
【技術分野】
【０００１】
本発明は、ローカル光を用いて信号光を復調するコヒーレント光受信器とその製造方法とに関する。
【背景技術】
【０００２】
波長分割多重（ＷＤＭ：Wavelength Division Multiplexing）方式の光通信システムにおいて、受信装置側では、光通信の回線状態を監視するために、受信した信号光のパワーをモニタする機能を備えることが求められている。
【０００３】
図１０の（ａ）（ｂ）に、特許文献１に開示されているＷＤＭ方式の光通信システムの構成を示す。光通信システムは、送信装置１００、光ファイバ伝送路２００、及び受信装置３００を備えている。送信装置１００では、信号源から出力された複数の信号が、多重化装置１０１によって多重化されたディジタル信号となり、複数設けられた光信号変換部１０２のそれぞれにより、互いに異なる特定の波長λiを持つ複数の信号光に変換される。ＷＤＭ方式で使用する信号光の波長の数をｎ個とすると、多重化装置１０１及び光信号変換部１０２は、各波長λi（ｉ＝１〜ｎ）に対応して設けられている。
【０００４】
光信号変換部１０２から出力された複数の信号光は、光合波器１０３によって多重化され、光ファイバ伝送路２００を介して、受信装置３００の光分波器３０１に入力される。
【０００５】
光分波器３０１では、多重化された信号光を、波長λ１〜λnを持つ個々の信号光に分離する。各信号光は、各波長λi（ｉ＝１〜ｎ）に対応して設けられた光受信部３０２に入力される。
【０００６】
各光受信部３０２は、受光素子３０３、受信パワーモニタ回路３０４、及び信号復調部３０５を備えている。光受信部３０２に入力された信号光は、光電変換を行う受光素子３０３にて電気信号に変換され、受光素子３０３にて得られた電気信号は、各種信号処理を施す信号復調部３０５にてデータ信号に変換される。このようにして復調されたデータ信号は、多重分離装置３０６を介して外部に出力される。受信パワーモニタ回路３０４は、受光素子３０３を流れる光電流の大きさから、信号光のパワーを表すモニタ値を算出する。受信パワーモニタ回路３０４は、モニタ値に含まれる受光素子３０３の入出力特性の非線形に起因する誤差を小さくするために、受光素子３０３を流れる光電流の大きさと、受光素子３０３に印加される逆バイアス電圧の大きさとに基づき、予め定められたパラメータを用いてモニタ値を算出する。
【先行技術文献】
【特許文献】
【０００７】
【特許文献１】特開２００９−２５３８３０号公報（公開日：2009年10月29日）
【特許文献２】ＷＯ２０１２−０９９２７７号公報（国際公開日：2012年7月26日）
【特許文献３】特開２０１０−１０９８４７号公報（公開日：2010年5月13日）
【発明の概要】
【発明が解決しようとする課題】
【０００８】
従来の光受信器においては、光電変換素子を用いて信号光の一部を光電流に変換するとともに、得られた光電流の大きさを信号光のパワーに換算する（光電流の大きさに所定の係数を乗じる）ことによって、信号光のパワーを示すモニタ値を得ていた。ところが、光電変換素子の感度は、光電変換素子が受光する光の波長に依存する性質（波長依存性）を有している。このため、上記のように得られたモニタ値には、信号光の波長に依存した誤差が含まれるという問題があった。特に、ＷＤＭ方式の光通信システムにおいては、複数の波長の中からシステムにより選択された波長を有する信号光が光受信器に入力される。このため、ＷＤＭ方式の光通信システムを構成する光受信器においては、信号光の波長に依存した誤差を補償するようモニタ値を補正することが重要になる。
【０００９】
なお、このような誤差を補償するためには、信号光の波長を特定するための構成、例えば、波長計が必要になるが、コヒーレント光受信器を除く従来の光受信器は、このような構成を有していない。このため、コヒーレント光受信器を除く従来の受信器において信号光の波長に依存した誤差を補償するためには、信号光の波長を特定するための構成を新たに付加する必要があり、コストの高騰が避けられない。
【００１０】
また、特許文献１には、モニタ値を算出するために用いるパラメータとして、光通信システムにおいて光受信器が受光し得る信号光のうち最も波長の短い信号光が入力されたときに正確なモニタ値を得ることができる短波長用パラメータと、これらの信号光のうち最も波長の長い信号光が入力されたときに正確なモニタ値を得ることができる長波長用パラメータとを予め求めておき、モニタ値の算出には短波長用パラメータと長波長用パラメータとの平均値を使用することが記載されている。しかしながら、このような構成を採用したとしても、入力される信号光の波長に応じて変化することのないパラメータを用いてモニタ値を算出する点に変わりはなく、信号光の波長に依存した誤差を完全に補償することは不可能であった。
【００１１】
本発明は、上記の課題に鑑みてなされたものであり、その目的は、信号光のパワーを表すモニタ値に含まれる、信号光の波長に依存した誤差を補償することによって、より精度の高いモニタ値を得ることが可能なコヒーレント光受信器を提供することにある。
【課題を解決するための手段】
【００１２】
本発明の一態様に係るコヒーレント光受信器は、信号光を光電流に変換する、光電変換素子を含む受信パワー測定光学系と、上記光電流の大きさを上記信号光のパワーに換算することにより得たモニタ値を、上記信号光の波長に依存した誤差を補償するように補正する制御部と、を備え、上記制御部は、ローカル光の波長を表す波長情報に基づいて上記補正に用いる補正係数を特定する、ことを特徴とする。
【００１３】
上記受信パワー測定光学系は、受光感度において波長依存性を持つ上記光電変換素子を少なくとも含んでいる。また、上記受信パワー測定光学系は、上記光電変換素子以外にも、分岐比において波長性依存特性を持つ光分岐部などを含み得る。したがって、上記光電流の大きさを上記信号光のパワーに換算することにより得た上記モニタ値には、上記信号光の波長に依存した誤差が含まれる。
【００１４】
上記の構成によれば、上記モニタ値は、上記ローカル光の波長を表す上記波長情報に基づいて特定した補正係数を用いて上記誤差を補償するように補正される。したがって、上記の構成によれば、より精度の高いモニタ値を得ることができる。なお、上記ローカル光の波長を表す上記波長情報に基づいて特定した補正係数を用いて、上記信号光の波長に依存した上記誤差を補償することができるのは、コヒーレント光受信器においては、その動作の前提として、上記ローカル光の波長が上記信号光の波長に応じて（例えば、上記信号光の波長と所定の精度で一致するように）設定されるからである。
【００１５】
また、上記の構成によれば、より精度の高いモニタ値を得ることができるため、得られたモニタ値に基づく各種判定及び各種制御を従来よりも精度よく実施することができる。得られたモニタ値に基づく判定としては、例えば、回線状態の良否判定が挙げられる。また、得られたモニタ値に基づく制御としては、例えば、受信ダイナミックレンジを広げるために、ローカル光のパワーをモニタ値に応じた大きさに設定する制御（特許文献２参照）や、消費電力を低減するために、モニタ値が所定の閾値を下回ったときにローカル光をオフにすると共に、モニタ値が所定の閾値を上回ったときにローカル光をオンにする制御などが挙げられる。
【００１６】
本発明の一態様に係る上記コヒーレント光受信器において、上記制御部は、波長と補正係数とが対応付けられた補正係数情報を参照し、当該補正係数情報において、上記ローカル光の波長に対応する補正係数を上記補正に用いる補正係数として特定する、ことが好ましい。
【００１７】
上記の構成によれば、上記補正係数情報において、複数の波長のそれぞれに対して補正係数が対応付けられているので、上記制御部は、当該補正係数情報を参照して、上記ローカル光の波長に対応する補正係数を特定することができる。
【００１８】
なお、補正係数情報を参照してローカル光の波長に対応する補正係数を直接的に特定するのみならず、補正係数情報を参照して直接的に特定できる補正係数を用いた内挿演算又は外挿演算によって、ローカル光の波長に対応する補正係数を間接的に特定してもよい。
【００１９】
本発明の一態様に係る上記コヒーレント光受信器は、上記光電変換素子又は上記光電変換素子の周囲の温度を検出する温度センサをさらに備え、上記制御部は、温度及び波長と補正係数とが対応付けられた補正係数情報を参照し、当該補正係数情報において、検出した温度、及び、上記ローカル光の波長に対応する補正係数を上記補正に用いる補正係数として特定する、ことが好ましい。
【００２０】
上記モニタ値に含まれる上記誤差は、上記信号光の波長に依存するだけではなく、上記光電変換素子又は上記光電変換素子の周囲の温度にも依存する。上記の構成によれば、補正係数情報において、波長及び温度と補正係数が対応づけられているので、上記制御部は、当該補正係数情報を参照して、上記ローカル光の波長、すなわち信号光の波長と、上記光電変換素子又は上記光電変換素子の周囲の温度とに対応する補正係数を特定することができる。これにより、より精度の高いモニタ値を得ることができる。
【００２１】
本発明の一態様に係る上記コヒーレント光受信器において、上記受信パワー測定光学系は、上記信号光を所定の比率で分岐することにより得られた上記信号光の一部を上記光電変換素子に供給する光分岐部をさらに含み、上記補正に用いる補正係数は、上記光電流の大きさを上記光分岐部に入力された上記信号光のパワーに換算する際の上記誤差を補償するように定められていてもよい。
【００２２】
上記光分岐部が上記信号光を分岐する分岐比は、上記信号光の波長に依存することがある。上記の構成によれば、上記受信パワー測定光学系が上記光分岐部を含む場合であっても、より精度の高いモニタ値を得ることができる。
【００２３】
本発明の一態様に係る上記コヒーレント光受信器において、上記ローカル光の波長に対応する補正係数が上記補正係数情報に含まれていない場合、上記制御部は、上記補正係数情報に含まれている補正係数から、上記ローカル光の波長に対応する補正係数を内挿演算又は外挿演算によって算出し、算出した補正係数を上記補正に用いる補正係数として特定する、ことが好ましい。
【００２４】
上記の構成によれば、制御部は、上記ローカル光の波長に対応する補正係数を内挿演算又は外挿演算によって算出するので、補正係数情報は、ローカル光の波長として選択される可能性の波長の全てについて、各波長に対応する補正係数を含んでいることを要さず、ローカル光の波長として選択される可能性のある波長の一部について、各波長に対応する補正係数を含んでいれば良い。これにより、補正係数情報のデータサイズを小さくすることができる。また、補正係数情報を作成するために要する工数を削減することができる。
【００２５】
本発明の一態様に係る上記コヒーレント光受信器において、上記制御部は、補正後の上記モニタ値が予め定められた閾値より小さいときに、上記ローカル光を生成するローカル光源の出力をオフにする、ことが好ましい。
【００２６】
上記の構成によれば、補正後のモニタ値が閾値より小さいときにローカル光源の出力をオフにすることによって、上記コヒーレント光受信器の消費電力を抑えることができる。また、この制御を、信号光の波長に依存した誤差を補償することにより得たより精度の高いモニタ値に基づくことにより、従来よりも精度よく行うことができる。
【００２７】
本発明の一態様に係るコヒーレント光受信器の製造方法は、上記何れかのコヒーレント光受信器の製造方法であって、既知のパワーを有する信号光を上記受信パワー測定光学系に入力したときに上記コヒーレント光受信器が得るモニタ値から、該モニタ値を上記既知のパワーに補正するための補正係数を求める第１工程と、上記第１工程にて求めた補正係数から、上記制御部が上記補正に用いる補正係数を特定するために参照する補正係数情報を生成する第２工程と、を含んでいる、ことを特徴とする。
【００２８】
上記の方法によれば、上記コヒーレント光受信器において上記信号光の波長に依存する上記誤差を補償することを可能とする補正係数を表す補正係数情報を生成することができる。
【００２９】
本発明の一態様に係る上記コヒーレント光受信器の製造方法において、上記第１工程は、上記モニタ値を上記既知のパワーに補正するための補正係数を、信号光の波長ごとに求める工程であり、上記第２工程にて生成される補正係数情報では、上記信号光の波長と、上記第１工程にて求めた上記補正係数とが対応付けられている、ことが好ましい。
【００３０】
上記の方法によれば、（１）上記ローカル光の波長と、（２）上記ローカル光の波長が当該波長に一致するときに、上記コヒーレント光受信器において上記誤差を補償することを可能とする補正係数と、が対応付けられた補正係数情報を生成することができる。
【００３１】
本発明の一態様に係る上記コヒーレント光受信器の製造方法において、上記コヒーレント光受信器は、上記光電変換素子又は上記光電変換素子の周囲の温度を検出する温度センサをさらに備えており、上記第１工程は、上記モニタ値を上記既知のパワーに補正するための補正係数を、上記光電変換素子又は上記光電変換素子の周囲の温度を変えながら信号光の波長ごとに求める工程であり、上記第２工程にて生成される補正係数情報では、温度及び上記信号光の波長と、上記第１工程にて求めた上記補正係数とが対応付けられている、ことが好ましい。
【００３２】
上記の方法によれば、（１）温度及び上記ローカル光の波長と、（２）上記光電変換素子又は上記光電変換素子の周囲の温度が当該温度に一致し、かつ、上記ローカル光の波長が当該波長に一致するときに、上記コヒーレント光受信器において上記誤差を補償することを可能とする補正係数と、が対応付けられた補正係数情報を生成することができる。
【発明の効果】
【００３３】
本発明によれば、信号光の波長に依存した誤差を補償することにより、より精度の高いモニタ値を得ることが可能なコヒーレント光受信器を実現することができる。
【図面の簡単な説明】
【００３４】
【図１】本発明の第１及び第２の実施形態に係る光受信装置の構成を示すブロック図である。
【図２】本発明の第１及び第２の実施形態に関し、図１に示す光受信装置に備えられたコヒーレント光受信器の要部の構成を示すブロック図である。
【図３】本発明の第１の実施形態に関し、図１に示すコヒーレント光受信器に備えられた制御部が、入力パワーモニタ部の出力を、ローカル光の波長に応じて補正する手順を示すフローチャートである。
【図４】本発明の第１の実施形態に関し、図１に示すコヒーレント光受信器の製造工程において、入力パワーモニタ部の出力を補正するための補正係数を生成する手順を示すフローチャートである。
【図５】図１に示すコヒーレント光受信器において、信号光が持ち得る複数の波長と補正係数とを対応づけたテーブルの一例を示す図である。
【図６】本発明の第２の実施形態に関し、図１に示すコヒーレント光受信器に備えられた制御部が、入力パワーモニタ部の出力を、ローカル光の波長と入力パワーモニタ部の温度とに応じて補正する手順を示すフローチャートである。
【図７】本発明の第２の実施形態に関し、図１に示すコヒーレント光受信器の製造工程において、入力パワーモニタ部の出力を補正するための補正係数を生成する手順を示すフローチャートである。
【図８】図１に示すコヒーレント光受信器において、信号光が持ち得る複数の波長と補正係数とを、温度別に対応づけたテーブルの一例を示す図である。
【図９】（ａ）は、入力パワーモニタ部に備えられた光電変換素子の受光感度の波長依存性を示す図であり、（ｂ）は、信号光を所定の比率で分岐する光分岐部に設定された分岐比の波長依存性を示す図である。
【図１０】（ａ）（ｂ）は、ＷＤＭ方式を採用した従来の光通信システムの構成を示すブロック図である。
【発明を実施するための形態】
【００３５】
本発明に係るコヒーレント光受信器の実施形態について、図面に基づいて説明すれば以下のとおりである。なお、本発明に係るコヒーレント光受信器は、ローカル光の波長が信号光の波長に応じて設定されるというコヒーレント光受信器ならではの構成に着目して考案されたものであり、受信した信号光のパワーを測定することにより得たモニタ値を、ローカル光の波長を表す波長情報に基づいて補正する点に最大の特徴がある。
【００３６】
≪第１の実施形態≫
〔コヒーレント光受信器の構成〕
本発明の第１の実施形態に係るコヒーレント光受信器３−１について、図１及び図２を参照して説明する。本実施形態に係るコヒーレント光受信器３−１は、同様に構成された他のコヒーレント光受信器３−２〜３−ｎと共に、波長分割多重された信号光を受信する光受信装置１に搭載される。図１は、光受信装置１の構成を示すブロック図であり、図２は、コヒーレント光受信器３−１の構成を示すブロック図である。
【００３７】
光受信装置１は、図１に示すように、光分波器２と、コヒーレント光受信器群３とを備えている。コヒーレント光受信器群３は、ｎ個（ｎは２以上の任意の自然数）のコヒーレント光受信器３−１〜３−ｎによって構成されている。
【００３８】
光分波器２は、波長分割多重された信号光を分波することによって、波長の異なるｎ個の信号光を得る。光分波器２にて得られた波長λｉ（ｉ＝１〜ｎ）を有する信号光は、対応するコヒーレント光受信器３−ｉに供給される。
【００３９】
コヒーレント光受信器３−１は、波長λ１を有する信号光を復調することによって、電気信号であるデータ信号を得る。コヒーレント光受信器３−１は、図２に示すように、光分岐部３１、入力パワーモニタ部３２、ローカル光源３３、コヒーレント光受信部３４、ディジタル信号処理部３５、及び制御部３６を備えている。なお、温度センサ３７については、後の第２の実施形態において説明する。
【００４０】
光分岐部３１は、光分波器２から供給された信号光を所定の比率で分岐することによって、２つの分岐光を得る。光分岐部３１にて得られた２つの分岐光のうち、一方の分岐光は入力パワーモニタ部３２に供給され、他方の分岐光はコヒーレント光受信部３４に供給される。なお、光分岐部３１としては、例えば、１本の光ファイバを２本以上の光ファイバに分岐させる、光カプラ等の光学素子を使用することができる。なお、光分岐部３１は、信号光を入力パワーモニタ部３２に導く光伝送路に含まれ、入力パワーモニタ部３２は、この光伝送路とともに受信パワー測定光学系を構成している。
【００４１】
入力パワーモニタ部３２は、光分岐部３１から供給された分岐光を電流（以下、「光電流」と記載）に変換する光電変換素子３２ａと、光電変換素子３２ａにて得られた光電流を電圧に変換する電流電圧変換回路３２ｂとを備えている。入力パワーモニタ部３２にて得られる電圧は、制御部３６に供給される。なお、光電変換素子３２ａとしては、例えば、フォトダイオードを用いることができる。電流電圧変換回路３２ｂとしては、例えば、抵抗器を用いることができる。
【００４２】
ローカル光源３３は、信号光の復調に用いるローカル光を生成する。ローカル光の波長、すなわち、ローカル光源３３の発振波長は、所定の精度（例えば、±２０ｐｍ）で信号光の波長λ１と一致するように制御部３６によって設定される。ローカル光源３３にて生成されたローカル光は、コヒーレント光受信部３４に供給される。なお、ローカル光源３３としては、例えば、波長可変レーザを用いることができる。ローカル光源３３は、局部発振光源と呼ばれることもある。
【００４３】
コヒーレント光受信部３４は、光分岐部３１から供給された分岐光と、ローカル光源３３から供給されたローカル光とを干渉させることによって、分岐光の複素振幅に応じたＩ成分とＱ成分とを有するアナログ信号を生成する。コヒーレント光受信部３４にて生成されたアナログ信号は、ディジタル信号処理部３５に供給される。
【００４４】
ディジタル信号処理部３５は、コヒーレント光受信部３４から供給されたアナログ信号をアナログ−ディジタル変換することによって、ディジタル信号に得ると共に、得られたディジタル信号に対して波長分散補償や符号誤り訂正などの各種ディジタル信号処理を施すことによって、データ信号を復号する。
【００４５】
制御部３６は、入力パワーモニタ部３２から供給された電圧をアナログ−ディジタル変換することによって、電圧値（ディジタル値）を得るＡ／Ｄコンバータ３６ａと、Ａ／Ｄコンバータ３６ａにて得られた電圧値を信号光のパワーに換算することによって、モニタ値を得るモニタ値算出部３６ｂと、モニタ値算出部３６ｂにて得られたモニタ値を補正するモニタ値補正部３６ｃとを備えている。ここで、モニタ値算出部３６ｂにて行われる換算は、受信パワー測定光学系の感度の波長依存性を考慮しない演算であり、例えば、信号光の波長に依存しない係数を電圧値に乗じることによってモニタ値を得る。したがって、モニタ値算出部３６ｂにて得られたモニタ値には、信号光の波長λ１に依存した誤差が含まれる。モニタ値補正部３６ｃは、この誤差を補償するべく、ローカル光の波長を表す波長情報に基づいて特定した補正係数を用いて、モニタ値算出部３６ｂにて得られたモニタ値を補正する。ここで、ローカル光の波長を表す波長情報に基づいて特定した補正係数を用いて、信号光の波長に依存した誤差を補償するようにモニタ値を補正することができるのは、ローカル光の波長が信号光の波長と所定の精度で一致するように設定されているためである。
【００４６】
なお、本実施形態に係るコヒーレント光受信器３−１に入力される可能性のある信号光の波長λ１は、例えばＩＴＵ−Ｔ勧告にて規定されたＣバンド（Conventional-band：１５３０〜１５６５ｎｍ）又はＬバンド（Long-band：１５６５〜１６２５ｎｍ）に属する波長であり、波長間隔が５０ＧＨｚグリッドである場合、予め定められた８８通りの波長（１５７０．４１４ｎｍ、１５７０．８１９ｎｍ、１５７１．２３３ｎｍ、…、１６０７．０２５ｎｍ）の何れかである。制御部３６は、入力される信号光の波長λ１に対応するチャンネル番号ＬＯｃｈ（λ１＝１５７０．４１４ｎｍであればＬＯｃｈ＝１、λ１＝１５７０．８１９ｎｍであればＬＯｃｈ＝２、…、λ１＝１６０７．０２５ｎｍであればＬＯｃｈ＝８８）を特定すると共に、ローカル光の波長、すなわち、ローカル光源３３の発振波長を、特定したチャンネル番号ＬＯｃｈに対応する波長と所定の精度で一致するように設定する。これにより、コヒーレント光受信器３−１の状態が、入力される信号光を復調することが可能な状態に切り替える。なお、制御部３６は、入力される信号光の波長λ１に対応するチャンネル番号ＬＯｃｈを、ホスト装置である光受信装置１からの通知に基づき特定するように構成されていてもよいし、自身で特定するように構成されていてもよい。入力される信号光の波長λ１に対応するチャンネル番号ＬＯｃｈを制御部３６自身で特定する方法としては、例えば、コヒーレント光受信部３４にて得られるデータ信号の信号品質を監視しながらローカル光の波長をスイープさせ、信号品質が最良となる波長に対応するチャンネル番号を、信号光の波長λ１に対応するチャンネル番号ＬＯｃｈと見做す方法などが挙げられる（特許文献３参照）。
【００４７】
また、本実施形態に係るコヒーレント光受信器３−１において、制御部３６は、上記のように特定したチャンネル番号を、制御部３６に内蔵された揮発性メモリ３６ｄに記憶させる。ローカル光の波長は、所定の精度で信号光の波長と等しく設定されるので、揮発性メモリ３６ｄに記憶されたチャンネル番号は、信号光の波長を表す波長情報と見做すこともできるし、ローカル光の波長を表す波長情報と見做すことができる。また、制御部３６に接続された不揮発性メモリ３８には、チャンネル番号と補正係数とが対応付けられた補正係数テーブルが格納されている。波長チャンネルのチャンネル番号は、ローカル光の波長を表すので、不揮発性メモリ３８に格納された補正係数テーブルは、ローカル光の波長に対応する補正係数を表す補正係数情報と見做すことができる。制御部３６は、揮発性メモリ３６ｄに記憶されたチャンネル番号及び不揮発性メモリ３８に格納された補正係数テーブルを参照して、モニタ値の補正に用いる補正係数を決定する。具体的な方法については、参照する図面を代えて後述する。
【００４８】
〔光電変換素子の受光感度及び光分岐部の分岐比の波長依存性〕
光電変換素子３２ａは、入力光のパワーに対する光電流の大きさの比である受光感度が、入力光の波長に依って変化する性質を有している。すなわち、光電変換素子３２ａの受光感度は、波長依存性を有している。また、光分岐部３１は、一方の分岐光に対する他方の分岐光のパワーの比である分岐比が、入力光の波長に依って変化する性質を有している。すなわち、光分岐部３１の分岐比は、波長依存性を有している。
【００４９】
特に、コヒーレント光受信器３−１が備える光分岐部３１においては、コヒーレント光受信部３４に供給される分岐光に対する入力パワーモニタ部３２に供給される分岐光の比が極めて小さい値に設定される。入力パワーモニタ部３２に供給される分岐光は、コヒーレント光受信に利用することができず損失となるため、そのパワーをできるだけ小さく抑えることが好ましいからである。このため、光分岐部３１の分岐比の波長依存性は、光電変換素子３２ａの受信感度の波長依存性と同様、モニタ値に対して無視することのできない影響を与える。
【００５０】
以下では、これらの波長依存性について、図９を参照して説明する。図９の（ａ）は、光電変換素子３２ａの受光感度の波長依存性を示す図であり、（ｂ）は、光分岐部３１の分岐比の波長依存性を示す図である。
【００５１】
光電変換素子３２ａの受光感度は、受光感度（Ａ／Ｗ）＝出力電流（光電流）の大きさ（Ａ）／入力光のパワー（Ｗ）によって表される。図９の（ａ）は、光通信において広く使用されている２つの波長帯域であるＣバンド及びＬバンド付近における受光感度の波長依存性の一例を示している。図９の（ａ）に示すように、受光感度は、Ｃバンド付近では変化が小さく、ほぼ一定になるのに対し、波長が１５７０ｎｍを越えるあたりから波長の増加に伴い受光感度が大きく低下する。この傾向は、光電変換素子３２ａの温度に依らず共通している。
【００５２】
一方、光分岐部３１の分岐比も、Ｃバンド及びＬバンド付近の波長帯域において、波長の増加に伴い低下する。この傾向も、光分岐部３１の温度に依らず共通している。
【００５３】
以上のように、光分岐部３１の分岐比及び光電変換素子３２ａの受光感度は、波長依存性を有している。したがって、光分岐部３１及び光電変換素子３２ａを含む受信パワー測定光学系の入出力特性は、波長依存性を有することになる。このため、受信パワー測定光学系にて得られた光電流を信号光のパワーに換算することにより得られたモニタ値には、信号光の波長に依存した誤差が含まれることになる。この誤差は、信号光の波長がＬバンドに属するときに特に大きくなる。したがって、Ｌバンドで使用するコヒーレント光受信器３−１を実現するためには、この誤差を補償するようモニタ値を補正することが重要となる。
【００５４】
〔モニタ値の算出及び補正〕
次に、制御部３６がモニタ値を算出及び補正する処理について、図３及び図５を参照して説明する。図３は、制御部３６がモニタ値を算出及び補正する手順を示すフローチャートである。図５は、制御部３６がモニタ値を補正するために参照する補正係数テーブル＜１＞を例示した図である。
【００５５】
本実施形態において、制御部３６がモニタ値を補正するために参照する補正係数テーブル＜１＞は、図５に示すように、Ｃバンド又はＬバンドに属する８８個の波長チャンネル全てについて、チャンネル番号ＬＯｃｈと補正係数αとが対応付けて記録されたものである。以下、補正係数テーブル＜１＞において、チャンネル番号ＬＯｃｈに対応付けられた補正係数αをα［ＬＯｃｈ］と記載する。例えば、チャンネル番号ＬＯｃｈ＝１には、補正係数α［１］＝１．０１が対応付けられており、チャンネル番号ＬＯｃｈ＝８８には、補正係数α［８８］＝１．１４が対応付けられている。この補正係数テーブル＜１＞の作成手順については後述する。
【００５６】
図３に示すように、制御部３６は、まず、不揮発性メモリ３８から補正係数テーブル＜１＞を読み出し、読み出した補正係数テーブル＜１＞を揮発性メモリ３６ｄ上に展開する（ステップＳ１）。その後、制御部３６は、以下に説明するステップＳ２〜Ｓ５を繰り返し実行する。
【００５７】
ステップＳ２：モニタ値算出部３６ｂが、Ａ／Ｄコンバータ３６ａにて得られた電圧値を信号光のパワーに換算することによってモニタ値ＲｘＰｏｗを得る。なお、本ステップＳ２における換算は、受信パワー測定光学系の受光感度の波長依存性を考慮しない演算であり、本ステップＳ２にて得られるモニタ値ＲｘＰｏｗには、信号光の波長λ１に依存した誤差が含まれる。
【００５８】
ステップＳ３：モニタ値補正部３６ｃが、ステップＳ１において読み出した補正係数テーブル＜１＞において、揮発性メモリ３６ｄに記憶されたチャンネル番号ＬＯｃｈに対応する補正係数α［ＬＯｃｈ］を特定する。
【００５９】
ステップＳ４：モニタ値補正部３６ｃが、ステップＳ２にて算出したモニタ値ＲｘＰｏｗにステップＳ３にて特定した補正係数α［ＬＯｃｈ］を乗じることによって、ステップＳ２にて算出したモニタ値ＲｘＰｏｗを補正する。本ステップＳ４にて得られた補正後モニタ値ＲｘＰｏｗ’＝ＲｘＰｏｗ×α［ＬＯｃｈ］は、揮発性メモリ３６ｄ上の予め定められた特定のアドレスを有する記憶領域に記憶される。なお、本ステップＳ４にて得られる補正後モニタ値ＲｘＰｏｗ’は、信号光の波長λ１に依存した誤差が補償されたモニタ値、すなわち、より精度の高いモニタ値となる。
【００６０】
ステップＳ５：ホスト装置である光受信装置１から補正後モニタ値ＲｘＰｏｗ’の読み出し要求があった場合、コヒーレント光受信器３−１の制御部３６は、揮発性メモリ３６ｄに記憶された補正後モニタ値ＲｘＰｏｗ’をホスト間通信インタフェースを介して光受信装置１に提供する。
【００６１】
なお、ステップＳ５において、制御部３６は、補正後モニタ値ＲｘＰｏｗ’を光受信装置１に提供する処理に加え、算出した補正後モニタ値ＲｘＰｏｗ’に基づき回線状態の良否を判定する処理（例えば、読み出した補正後モニタ値ＲｘＰｏｗ’が閾値以下になったときに回線状態が不良と判定する）、又は、読み出した補正後モニタ値ＲｘＰｏｗ’に基づき故障の有無を判定する処理（例えば、読み出した補正後モニタ値ＲｘＰｏｗ’が閾値以下になったときに故障が有ると判定する）を実行してもよい。また、ステップＳ５において、制御部３６は、これらの判定処理に加え、回線状態が不良と判定した場合又は故障が有ると判定した場合に、光受信装置１にアラートを出す処理、回線状態が不良と判定した場合又は故障が有ると判定した場合に、光受信装置１へのデータ信号の供給を停止する処理、又は、回線状態が不良と判定した場合又は故障が有ると判定した場合に、ローカル光源３３の出力をオフにして、消費電力の低減を図る処理を実行してもよい。
【００６２】
また、本実施形態においては、全ての波長チャンネルについて、チャンネル番号ＬＯｃｈと補正係数αとが対応付けて記録された補正係数テーブル＜１＞を補正係数情報として用いる構成について説明したが、本発明はこれに限定されない。すなわち、一部の波長チャンネルについて、チャンネル番号ＬＯｃｈと補正係数αとが対応付けて記録された補正係数テーブルを補正係数情報として用いる構成を採用してもよい。後者の場合、波長補正テーブル＜１＞に含まれていないチャンネル番号に対応する補正係数αは、波長と補正係数αとの関係を近似関数（線形関数又は非線形関数）で表せる場合には、その近似関数と補正係数テーブル＜１＞に含まれている補正係数αとを用いた内挿演算又は外挿演算によって間接的に求めることができる。補正係数αを間接的に求める形態では、補正係数テーブルに含める項目数を減らし、補正係数テーブル＜１＞のデータサイズを小さくすることができるとともに、補正係数テーブル＜１＞を作成する工数を減らすことができる。補正係数テーブル＜１＞の作成は、コヒーレント光受信器３−１，３−２，…３−ｎのそれぞれについて行うので、補正係数テーブル＜１＞の作成工数を減らせることは、光受信装置１全体の調整工数の大幅な削減に寄与する。なお、補正係数αの変動が小さい波長帯域では、補正係数テーブルに含める項目数を更に減らしてもよい。
【００６３】
〔コヒーレント光受信器の製造方法〕
本実施形態に係るコヒーレント光受信器３−１の製造方法は、上述した補正テーブル＜１＞を作成する補正テーブル作成工程を含んでいる。以下、この補正テーブル作成工程について、図４を参照して説明する。図４は、この補正テーブル作成工程の手順を示すフローチャートである。なお、光受信装置１の製造に際しては、各コヒーレント光受信器３-ｉについて、この補正係数テーブル作成工程を繰り返すことになる。
【００６４】
製造装置は、波長チャンネルのチャンネル番号を表す変数ＬＯｃｈの値を１に設定した後（Ｓ１１）、変数ＬＯｃｈの値をインクリメントしながら（Ｓ１４）、変数ＬＯｃｈの値が８８（波長チャンネルの総数）を超えるまで（Ｓ１５）、下記のステップＳ１２〜Ｓ１３を繰り返し実行する。すなわち、各波長チャンネルＬＯｃｈを設定対象として、下記のステップＳ１２〜Ｓ１３を繰り返し実行する。
【００６５】
ステップＳ１２：コヒーレント光受信器３?１のローカル光の波長を処理対象とする波長チャンネルＬＯｃｈに対応する波長に設定する。そして、当該波長を持つリファレンス光のパワーを既知の値ＲＥＦＰｏｗ[ｍＷ]に正確に調整したうえで、リファレンス光をコヒーレント光受信器３?１に入力する。コヒーレント光受信器３?１のモニタ値算出部３６ｂは、リファレンス光のパワーを表すモニタ値ＲｘＰｏｗ[ｍＷ]を算出する。
【００６６】
ステップＳ１３：コヒーレント光受信器３?１のモニタ値算出部３６ｂが算出したモニタ値ＲｘＰｏｗを読み取り、読み取ったモニタ値ＲｘＰｏｗとリファレンス光の既知のパワーＲＥＦＰｏｗとから、設定対象とした波長チャンネルＬＯｃｈに対応する補正係数α[ＬＯｃｈ]を下記式に従って算出する。
【００６７】
補正係数α[ＬＯｃｈ]＝リファレンス光のパワー／モニタ値
＝ＲＥＦＰｏｗ／ＲｘＰｏｗ
上記のステップＳ１２〜Ｓ１３を繰り返し実行することにより、各波長チャンネルＬＯｃｈに対応する補正係数α［ＬＯｃｈ]を算出することができる。製造装置は、算出した補正係数α[ＬＯｃｈ]を波長チャンネルＬＯｃｈに対応付けた補正係数テーブル＜１＞を作成し、作成した補正係数テーブル＜１＞をコヒーレント光受信器３−１の不揮発性メモリ３８に格納する（Ｓ１６）。こうして、不揮発性メモリ３８には、前述した図５に示す補正テーブル＜１＞が保存される。
【００６８】
≪第２の実施形態≫
本発明の第２の実施形態について、図１及び図６〜図９を参照して説明する。なお、説明の便宜上、前記実施形態にて説明した部材と同じ機能を有する部材については、同じ符号を付記し、その説明を省略する。
【００６９】
〔コヒーレント光受信器の構成〕
図１に示すように、本実施形態に係るコヒーレント光受信器３−１は、第１の実施形態で説明した構成に加えて、温度センサ３７を備えている。温度センサ３７は、入力パワーモニタ部３２の光電変換素子３２ａの温度、又は、光電変換素子３２ａの周囲温度を検出し、検出した温度を示す温度情報を制御部３６のモニタ値補正部３６ｃに送る。モニタ値補正部３６ｃは、後述するように、制御部３６に内蔵された揮発性メモリに記憶された波長情報、及び、温度センサ３７から得た温度情報に基づいて、波長及び温度に依存した誤差を補償するべく、モニタ値算出部３６ｂにて算出されたモニタ値を補正する。
【００７０】
〔光電変換素子の受光感度及び光分岐部の分岐比の温度依存特性〕
図９の（ａ）（ｂ）は、光電変換素子３２ａの受光感度及び光分岐部３１の分岐比が、温度に依って変化する性質、すなわち温度依存性を有していることをも示している。
【００７１】
光電変換素子３２ａの受光感度は、図９の（ａ）に示すように、Ｃバンド付近では温度に依る変化が小さいが、波長が１５７０ｎｍを越えるあたりから、温度が２５℃、０℃、−１０℃と下がるほど、より大きく低下する。
【００７２】
また、光分岐部３１の分岐比は、図９の（ｂ）に示すように、Ｃバンド及びＬバンド付近の波長帯域において、温度の上昇に伴い低下する。なお、分岐比が波長の増大とともに低下する割合は、温度に依らずほぼ一定である。
【００７３】
〔モニタ値の算出及び補正〕
次に、制御部３６がモニタ値を算出及び補正する処理について、図６及び図８を参照して説明する。図６は、制御部３６がモニタ値を算出及び補正する手順を示すフローチャートである。図８は、制御部３６がモニタ値を補正するために参照する補正係数テーブル＜２＞を例示した図である。
【００７４】
本実施形態において、制御部３６がモニタ値を補正するために参照する補正係数テーブル＜２＞は、図８に示すように、光電変換素子３２ａの取り得る温度範囲から選択された複数の代表温度（０℃、５℃、１０°、・・・、７０℃）の各々に対応する補正係数テーブルの集合である。各代表温度ＲｘＴｅｍｐに対応する補正係数テーブルは、第１の実施形態のおける補正係数テーブル＜１＞と同様、Ｃバンド又はＬバンドに属する８８個の波長チャンネル全てについて、チャンネル番号ＬＯｃｈと補正係数αとが対応付けて記録されたものである。以下、代表温度ＲｘＴｅｍｐに対応する補正係数テーブルにおいて、チャンネル番号ＬＯｃｈに対応付けられた補正係数αを、α［ＬＯｃｈ］［ＲｘＴｅｍｐ］と記載する。例えば、温度ＲｘＴｅｍｐ＝０℃において、チャンネル番号ＬＯｃｈ＝１には、補正係数α［１］［０］＝１．１２が対応付けられており、温度ＲｘＴｅｍｐ＝７０℃において、チャンネル番号ＬＯｃｈ＝８８には、補正係数α［８８］［７０］＝１．０６が対応付けられている。この補正係数テーブル＜２＞の作成手順については後述する。
【００７５】
なお、補正係数テーブル＜２＞では、光電変換素子３２ａの受光感度が波長の増加に伴い低下する割合が、温度が低いほど大きいことと、光分岐部３１の分岐比が温度が高いほど低いこととを考慮して、補正係数α［ＬＯｃｈ］［ＲｘＴｅｍｐ］が設定されている。ただし、光電変換素子３２ａの受光感度が低温ほど低下する割合は、光分岐部３１の分岐比が高温ほど低下する割合を上回っている。このため、傾向として、補正係数補正係数α［ＬＯｃｈ］［ＲｘＴｅｍｐ］は、同じ波長チャンネルに対し、低温ほど大きく設定されている。なお、補正係数テーブル＜２＞に関する上記の説明はあくまでも一例に過ぎない。
【００７６】
図６に示すように、制御部３６は、まず、不揮発性メモリ３８から補正係数テーブル＜２＞を読み出し、読み出した補正係数テーブル＜２＞を揮発性メモリ３６ｄ上に展開する（ステップＳ２１）。その後、制御部３６は、以下に説明するステップＳ２２〜Ｓ２５を繰り返し実行する。
【００７７】
ステップＳ２２：モニタ値算出部３６ｂが、Ａ／Ｄコンバータ３６ａにて得られた電圧値を信号光のパワーに換算することによってモニタ値ＲｘＰｏｗを得る。なお、本ステップＳ２２における換算は、受信パワー測定光学系の受光感度の波長依存性及び温度依存性を考慮しない演算であり、本ステップＳ２２にて得られるモニタ値ＲｘＰｏｗには、信号光の波長及び光電変換素子３２ａの温度に依存した誤差が含まれる。
【００７８】
ステップＳ２３：モニタ値補正部３６ｃが、温度情報を温度センサ３７から取得する。そして、ステップＳ２１にて読み出した補正係数テーブル＜２＞に含まれる各代表温度に対応する補正係数テーブルのうち、取得した温度情報が表す温度（に最も近い代表温度）ＲｘＴｅｍｐに対応する補正係数テーブルにおいて、揮発性メモリ３６ｄに記憶されたチャンネル番号ＬＯｃに対応する補正係数α［ＬＯｃｈ］［ＲｘＴｅｍｐ］を特定する。
【００７９】
ステップＳ２４：モニタ値補正部３６ｃが、ステップＳ２２にて算出したモニタ値ＲｘＰｏｗにステップＳ２３にて特定した補正係数α［ＬＯｃｈ］［ＲｘＴｅｍｐ］を乗じることによって、ステップＳ２２にて算出したモニタ値ＲｘＰｏｗを補正する。本ステップＳ２４にて得られた補正後モニタ値ＲｘＰｏｗ’＝ＲｘＰｏｗ×α［ＬＯｃｈ］［ＲｘＴｅｍｐ］は、揮発性メモリ３６ｄ上の予め定められた特定のアドレスを有する記憶領域に記憶される。なお、本ステップＳ２４にて得られる補正後モニタ値ＲｘＰｏｗ’は、信号光の波長λ１に依存した誤差が補償されたモニタ値、すなわち、より精度の高いモニタ値となる。
【００８０】
ステップＳ２５：ホスト装置である光受信装置１から補正後モニタ値ＲｘＰｏｗ’の読み出し要求があった場合、コヒーレント光受信器３−１の制御部３６は、揮発性メモリ３６ｄに記憶された補正後モニタ値ＲｘＰｏｗ’をホスト間通信インタフェースを介して光受信装置１に提供する。
【００８１】
なお、ステップＳ２５において、制御部３６は、補正後モニタ値ＲｘＰｏｗ’を光受信装置１に提供する処理に加え、算出した補正後モニタ値ＲｘＰｏｗ’に基づき回線状態の良否を判定する処理（例えば、読み出した補正後モニタ値ＲｘＰｏｗ’が閾値以下になったときに回線状態が不良と判定する）、又は、読み出した補正後モニタ値ＲｘＰｏｗ’に基づき故障の有無を判定する処理（例えば、読み出した補正後モニタ値ＲｘＰｏｗ’が閾値以下になったときに故障が有ると判定する）を実行してもよい。また、ステップＳ２５において、制御部３６は、これらの判定処理に加え、回線状態が不良と判定した場合又は故障が有ると判定した場合に、光受信装置１にアラートを出す処理、回線状態が不良と判定した場合又は故障が有ると判定した場合に、光受信装置１へのデータ信号の供給を停止する処理、又は、回線状態が不良と判定した場合又は故障が有ると判定した場合に、ローカル光源３３の出力をオフにして、消費電力の低減を図る処理を実行してもよい。
【００８２】
〔コヒーレント光受信器の製造方法〕
本実施形態に係るコヒーレント光受信器３−１の製造方法は、上述した補正テーブル＜２＞を作成する補正テーブル作成工程を含んでいる。以下、この補正テーブル作成工程について、図７を参照して説明する。図７は、この補正テーブル作成工程の手順を示すフローチャートである。なお、光受信装置１の製造に際しては、各コヒーレント光受信器３-ｉについて、この補正係数テーブル作成工程を繰り返すことになる。
【００８３】
製造装置は、調整環境温度を０℃に設定した後（Ｓ３１）、調整環境温度を５℃ずつ上げながら（Ｓ３９）、調整環境温度が７０℃（代表温度の最大値）を超えるまで（Ｓ３７）、下記のステップＳ３２〜Ｓ３６を繰り返し実行する。すなわち、各代表温度ＲｘＴｅｍｐを調整環境温度として、下記のステップＳ３２〜Ｓ３６を実行する。
【００８４】
製造装置は、波長チャンネルのチャンネル番号を表す変数ＬＯｃｈの値を１に設定した後（Ｓ３２）、変数ＬＯｃｈの値をインクリメントしながら（Ｓ３５）、変数ＬＯｃｈの値が８８（波長チャンネルの総数）を超えるまで（Ｓ３６）、下記のステップＳ３３〜Ｓ３４を繰り返し実行する。すなわち、各波長チャンネルＬＯｃｈを設定対象として、下記のステップＳ３３〜Ｓ３４を繰り返し実行する。
【００８５】
ステップＳ３３：コヒーレント光受信器３?１のローカル光の波長を処理対象とする波長チャンネルＬＯｃｈに対応する波長に設定する。そして、当該波長を持つリファレンス光のパワーを既知の値ＲＥＦＰｏｗ[ｍＷ]に正確に調整したうえで、リファレンス光をコヒーレント光受信器３?１に入力する。コヒーレント光受信器３?１のモニタ値算出部３６ｂは、リファレンス光のパワーを表すモニタ値ＲｘＰｏｗ[ｍＷ]を算出する。
【００８６】
ステップＳ３４：コヒーレント光受信器３?１のモニタ値算出部３６ｂが算出したモニタ値ＲｘＰｏｗを読み取り、読み取ったモニタ値ＲｘＰｏｗとリファレンス光の既知のパワーＲＥＦＰｏｗとから、調整環境温度とした代表温度ＲｘＴｅｍｐにおいて、設定対象とした波長チャンネルＬＯｃｈに対応する補正係数α[ＬＯｃｈ]を下記式に従って算出する。
【００８７】
補正係数α[ＬＯｃｈ]［ＲｘＴｅｍｐ］＝リファレンス光のパワー／モニタ値
＝ＲＥＦＰｏｗ／ＲｘＰｏｗ
設定対象とする波長チャンネルＬＯｃｈを切り替えながら、上記のステップＳ３３〜Ｓ３４を繰り返し実行することにより、調整環境温度とした代表温度ＲｘＴｅｍｐにおいて、各波長チャンネルＬＯｃｈに対応する補正係数α［ＬＯｃｈ]［ＲｘＴｅｍｐ］を算出することができる。そして、調整環境温度とする代表温度ＲｘＴｅｍｐを切り替えながら、上記のステップＳ３２〜Ｓ３６を繰り返すことによって、各代表温度ＲｘＴｅｍｐにおいて、各波長チャンネルＬＯｃｈに対応する補正係数α［ＬＯｃｈ]［ＲｘＴｅｍｐ］を算出することができる。製造装置は、算出した補正係数α[ＬＯｃｈ]［ＲｘＴｅｍｐ］を代表温度ＲｘＴｅｍｐ及び波長チャンネルＬＯｃｈに対応付けた補正係数テーブル＜２＞を作成し、作成した補正係数テーブル＜２＞をコヒーレント光受信器３−１の不揮発性メモリ３８に格納する（Ｓ３８）。こうして、不揮発性メモリ３８には、前述した図８に示す補正テーブル＜１＞が保存される。
【００８８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８９】
１  光受信装置
３−１，３−２，３−ｎ  コヒーレント光受信器
３１  光分岐部（受信パワー測定光学系）
３２  入力パワーモニタ部（受信パワー測定光学系）
３２ａ  光電変換素子
３２ｂ  電流電圧変換回路
３３  ローカル光源
３４  コヒーレント光受信部
３５  ディジタル信号処理部
３６  制御部
３６ａ  Ａ／Ｄコンバータ
３６ｂ  モニタ値算出部
３６ｃ  モニタ値補正部
３６ｄ  揮発性メモリ
３７  温度センサ
３８  不揮発性メモリ
α  補正係数
【図１】
0006294902.tif 000002
【図２】
0006294902.tif 000003
【図３】
0006294902.tif 000004
【図４】
0006294902.tif 000005
【図５】
0006294902.tif 000006
【図６】
0006294902.tif 000007
【図７】
0006294902.tif 000008
【図８】
0006294902.tif 000009
【図９】
0006294902.tif 000010
【図１０】
0006294902.tif 000011